(57)【要約】 【課題】  形体、美観に優れ、犬の散歩に携帯しやすく、そして糞の捕捉と持ち運び排出の全ての操作が手元で出来る犬糞等の捕捉運び器具を得る。  【解決手段】  把持部より伸びる長い柄部の先に両側を支持され対向に揺動運動して開閉する略球形等の形をした受容器と蓋を設け、該受容器と蓋を柄部上に滑動可能に設けた操作ロッドとリンクを介して連結し、把持部側に設けた操作ロッドの操作部により蓋が被さる時に受容器が柄部と略直角に上向きになり、排出の時に柄部と略平行に重なって開き、その開閉の略中間の位置で糞の捕捉が出来るようになっている。  【選択図】        図１
2005176632.tif 000002
【特許請求の範囲】
【請求項１】
把持部（１、１ｅ）より先方へ長く伸びる柄部（２、２ａ、２ｂ、２ｃ、２ｄ、２ｅ）と、該柄部の先部より横へ離隔しながら先方え伸び出し各々その先部に両者間を結ぶ線が前記柄部と直角をなす揺動軸線（３、３ａ、３ｂ、３ｃ、３ｄ）を形成する両支持部（４、４′、４ａ、４ａ′、４ｂ、４ｂ′、４ｃ、４ｃ′、４ｄ、４ｄ′）を備えるホーク部（５、５ａ、５ｂ、５ｃ、５ｄ）と、窪んだ内壁部（７、７ａ、７ｂ、７ｃ、７ｄ）と平坦に開く開口部（６、６ａ、６ｂ、６ｃ、６ｄ）を有しその開口部の両側を前記両支持部に嵌め合わされて前記揺動軸線の周りに揺動可能に支持された受容器（８、８ａ、８ｂ、８ｃ、８ｄ）と、前記開口部を密に接近して被う周縁手段（９、９ａ、９ｂ、９ｃ、９ｄ）と内側の被い部（１０、１０ａ、１０ｂ、１０ｃ、１０ｄ）を有しその周縁部分の両側を前記両支持部に嵌め合わされ前記揺動軸線の周りに前記受容器と対向方向に揺動可能に支持された蓋（１１、１１ａ、１１ｂ、１１ｃ、１１ｄ）と、前記受容器の一部にその下端部を前後に回転自在に連結された後リンク（１２、１２ｄ）と前記蓋の一部にその下端部を前後に回転自在に連結された前リンク（１３、１３ａ、１３ｂ、１３ｃ、１３ｄ）と前記柄部上に滑動可能に保持されその下部に前記後リンクと前記前リンクの各々上端側を前後に回転自在に連結保持するリンク保持部（１４、１４ａ、１４ｂ、１４ｃ、１４ｄ、１４ｅ）を備えその一部に操作部（１５、１５ｅ）を備える操作ロッド手段（１６、１６ａ、１６ｂ、１６ｃ、１６ｄ、１６ｅ）を有することを特徴とする犬糞等の捕捉運び器具。
【請求項２】
揺動軸線（３、３ａ、３ｂ、３ｃ）の周りに半回転形に窪んだ内壁部（７、７ａ、７ｂ、７ｃ）と平坦に開く開口部（６、６ａ、６ｂ、６ｃ）を有しその開口部の両側を前記受容器の内側で両支持部（４、４′、４ａ、４ａ′、４ｂ、４ｂ′、４ｃ、４ｃ′）に嵌め合わされて前記揺動軸線の周りに揺動可能に支持された受容器（８、８ａ、８ｂ、８ｃ）と、前記開口部の内側を密に接近して被う周縁手段（９、９ａ、９ｂ、９ｃ）と内側の被い部（１０、１０ａ、１０ｂ、１０ｃ）を有し前記周縁手段部の両側を前記受容器の内側で前記両支持部に嵌め合わされ前記揺動軸線の周りに前記受容器と対向方向に揺動可能に支持された蓋（１１、１１ａ、１１ｂ、１１ｃ）を有することを特徴とする請求項１記載の犬糞等の捕捉運び器具。
【請求項３】
その周縁部に設けたシールリング取付部（ １９ ）と該シールリング取付部に嵌まり受容器（８）の開口部（６）を含む内壁部（７）に密接するシールリング（２０）からなる周縁手段（９）を備える蓋（１１）を有することを特徴とする請求項２記載の犬糞等の捕捉運び器具。
【請求項４】
柄部( ２ )の上端に該柄部に対して前後方向にＴ字形の把持部(
１ )を備えることを特徴とする請求項１記載の犬糞等の捕捉運び器具。
【請求項５】
操作ロッド手段（１６ｅ）の上側の一部より引き金状に伸び出る操作レバー（２１ｅ）と各々保持手段（４０、４０′）により前記操作レバーの上下に対称形に保持され各々前記操作レバーの指当て部分に露出するレバー部（４２、４２′）と元部側で柄部（２ｅ）に向かって突出する止め爪（４３、４３′）を有し互いに相手側と揺動連結手段（３８）で結合されて対向方向に揺動する上下一対の止めレバー（４１、４１′）と前記両レバー部の間に設けた開きバネ（３９）を備える操作部（１５ｅ）を有することを特徴とする請求項１記載の犬糞等の捕捉運び器具。
【請求項６】
柄部（２）と操作ロッド手段（１５）間に前記操作ロッド手段の移動範囲内の位置で噛合う弾性体ノッチ（２４）とノッチ溝（２５）からなる抵抗保持手段（２６）を備えることを特徴とする請求項１記載の犬糞等の捕捉運び器具。
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。この他にも犬の糞を排便中に捕捉するもの等の提案もされている。
【特許文献１】登録実用新案第３０５１１６０号広報
【発明の開示】
【発明が解決しようとする課題】
【０００３】
従来、市販されている犬の糞の捕捉運び器具等は、糞の収納が面倒で扱いずらい上に、これらを持ち運ぶにも見目が悪く敬遠される欠点があった。
本発明の目的は、糞の捕捉と収納そして排出の操作に優れ、しかもその形体、美観にも優れており犬の散歩に携帯するにも抵抗を感ずることない犬糞等の捕捉運び器具を提供するにある。
本発明の他の目的は、操作部の簡単な操作で受容器が捕捉しやすい向きに開き、捕捉した後は蓋をして運びやすいような向きに保たれ、手に持ったまま簡単な操作で受容器を排出しやすい向きに大きく開くことが出来る犬糞等の捕捉運び器具を提供するにある。
本発明のさらに他の目的は、手に持ったまま簡単な操作で受容器内の糞を押出すように排出することも出来る犬糞等の捕捉運び器具を提供するにある。
本発明のさらに他の目的は、器内に雨水などが侵入し難く、且つ犬糞等の臭いが外部にもれない捕捉運び器具を提供するにある。
本発明のさらに他の目的は、水洗いの際に受容器の内部と外周部が掃除しやすくいつも清潔に美麗に保て、コンパクトで収容量の大きな犬糞等の捕捉運び器具を提供するにある。
本発明のさらに他の目的は、糞が蓋の内側ないし受容器の内側に付着して残り難い犬糞等の捕捉運び器具を提供する。
本発明のさらに他の目的は、犬の散歩等の際に持ち歩きやすくしかも捕捉や排出の操作がしやすい把持部と操作部を有する犬糞等の捕捉運び器具を提供するにある。
【課題を解決するための手段】
【０００４】
上記目的を達成するために、本発明の犬糞等の捕捉運び器具においては、把持部より先方へ長く伸びる柄部と、該柄部の先部より横へ離隔しながら先方ヘ伸び出し各々その先部に両者間を結ぶ線が前記柄部と直角をなす揺動軸線を形成する両支持部を備えるホーク部と、前記揺動軸線と略平行に開く開口部と窪んだ内壁部を有しその開口部の両側を前記両支持部に嵌め合わされ前記揺動軸線の周りに揺動可能に支持された受容器と、前記揺動軸線と略平行且つ前記開口部を密に接近して被う周縁手段と内側の被い部を有しその周縁部分の両側を前記両支持部に嵌め合わされ前記受容器と対向方向に揺動可能に支持された蓋と、前記受容器の一部にその下端部を前後に回転自在に連結された後リンクと前記蓋の一部にその下端部を前後に回転自在に連結された前リンクと前記柄部上に滑動可能に保持されその下部に前記後リンクと前記前リンクの各々上端側を前後に回転自在に連結保持するリンク保持部とその上部の操作部を備える操作ロッド手段を有するものである。
そこで、前記操作ロッド手段が一方位置に移動して保持される時に前記受容器が前記柄部と略直角に上向きになりその上部に前記蓋が下向きに被さり前記周縁手段が前記受容器の前記開口部を塞ぎ、前記操作ロッド手段が他方位置に移動して保持される時に前記受容器と前記蓋が前記柄部の一方側に傾いて開く。
【０００５】
上記受容器と蓋は、後記する理由により、揺動軸線の周りに半回転形に窪んだ内壁部と平坦に開く開口部を有しその開口部の両側を前記受容器の内側で両支持部に嵌め合わされて前記揺動軸線の周りに揺動可能に支持された受容器と、前記開口部の内側を密に接近して被う周縁手段と内側の被い部を有し前記周縁手段部の両側を前記受容器の内側で前記両支持部に嵌め合わされて前記揺動軸線の周りに前記受容器と対向方向に揺動可能に支持された蓋により構成されることがより一層望ましい。
【０００６】
なかでも、受容器が揺動軸線の周りに半球形に窪んだ内壁部と揺動軸線に略平行に開く円形の平坦な開口部を有し、蓋が揺動軸線に略平行且つ前記開口部に密に接近した円形の平坦な周縁手段と揺動軸線の周りに受容器の内壁部に接近して半球形に突出した被い部を有し、操作ロッド手段が一方位置に保持されて蓋が被さった状態の時に受容器と蓋の全体の形が略球形を成す形状はより一層好ましい。
【０００７】
上記周縁手段としては、蓋の周縁部にシールリング取付部を設け該シールリング取付部に受容器の開口部を含む内壁部に密接するシールリングを嵌め込んで確りしたものとすることも出来る。
【０００８】
柄部の上端に該柄部に対して前後方向にＴ字形の把持部を設けると持ち歩きに大変都合が良い。
【０００９】
そして、把持部の内側下部に操作ロッド手段の上側の一部より引き金状に伸び出る操作レバーと該操作レバーの上下に対称形に保持され各々前記操作レバーの指当て部分に露出するレバー部と元部側で柄部に向かって突出する止め爪を有し連結されて互いに相手側と対向方向に揺動する上下一対の止めレバーと前記両レバー部間の開きバネを備え前記開きバネの力で両止め爪を柄部に押圧するようになっている操作部を設けると良い。
【００１０】
上記柄部と操作ロッド手段間に操作ロッド手段の移動範囲内の位置で噛合う弾性体ノッチとノッチ溝からなり移動操作の一定以上の力で外れる抵抗保持手段を設け、前記操作ロッド手段が前記抵抗保持手段の噛合い位置に保持される時に受容器と蓋が前記柄部に対し斜め前方向きに傾き前記受容器の前方側を捕捉角度向きに開くようにすると一層扱い易い。
【００１１】
又、蓋は受容器の外側、内側のいずれでもよいが、気密保持や糞の排出の点からは内側のほうが有利である。
本発明の器具は、地面にある糞を救い取るよりも、主として犬がまさに排糞中のところに立位ないし、いくぶん腰を屈めるようにして犬の糞口の下に受容器の上部の開口部をあてがって器内にその糞を捕捉するものである。
従って、柄部の長さは十分な長さが望ましく、目で確かめながら捕捉器の前部の開口部を犬の糞口の下にあてがう。その際に、柄部の角度は平坦な地面の垂線に対し１０°から７０°程度の範囲となるであろう。
勿論、本犬糞等の捕捉運び器具は操作部を操作しながら受容器を開いて地面上の糞を挟み取ったり、救い取ることも出来るようになっている。
【発明の効果】
【００１２】
長い柄部の先に支持され対向に揺動する受容器と蓋が手元の操作部の簡単な操作で捕捉しやすい向きに開き、捕捉した後は蓋をして運びやすいような向きに保たれ、手に持ったまま受容器を糞の排出がしやすい向きに傾けて開くことが出来る犬糞等の捕捉運び器具が得られる。
【００１３】
受容器を揺動軸線の周りに半回転形の形状にし、蓋を受容器の内側にしてその周縁手段が開口部の内側で内壁部に密に接近するようにすることにより、糞が受容器の外部にこぼれ難く、しかも排出の際には受容器内の糞を周縁手段の後側でかき出すように前方へ押出して開くので糞が内壁部に付着して残らず清潔に保たれる。
【００１４】
さらに、受容器を揺動軸線の周りに半球形の形状とし、蓋をその揺動軸線の周りに半球形に突出した被い部にして操作ロッド手段が一方位置に保持される時に受容器と蓋の全体の形が略球形を成す形状にすることにより、角がなく密実で内外の掃除がし易く、収容容量の大きな犬糞等の捕捉運び器具が得られる。
【００１５】
さらに、蓋の周縁部に受容器の開口部を含む内壁部に密接するシールリングを取付けることにより受容器の開口部が密閉され、雨水等の侵入や臭気の洩れも少なく、ガタのない確りした犬糞等の捕捉運び器具が得られる。
【００１６】
柄部の上端にＴ字形の把持部を設けたことで、持ち歩きやすく操作しやすい犬糞等の捕捉運び器具になっている。
【００１７】
把持部の内側下部に操作ロッド手段の上部より引き金状に伸びる操作レバーと、該操作レバーの上下に対称形に保持され開きバネの力で移動をロックし操作時の指の力で解除される上下一対の止めレバーを備える操作部を設けたことにより、把持部を持ったまま指先で受容器と蓋の開閉操作並びにロックが出来る。
【発明を実施するための最良の形態】
【００１８】
把持部より伸びる長い柄部の先に両側を支持され対向に揺動運動して開閉する略球形等の形をした受容器と蓋を設け、該受容器と蓋を柄部上に滑動可能に設けた操作ロッドとリンクを介して連結し、把持部側に設けた操作ロッドの操作部により蓋が被さる時に受容器が柄部と略直角に上向きになり、排出の時に柄部と略平行に重なって開き、その開閉の略中間の位置で糞の捕捉が出来るようになっている。
【実施例１】
【００１９】
図１〜６において、上端の前後方向の把持部１からＴ字形に伸びる長い柄部２の先に、横へ離隔しながら先方へ伸びる二つの腕からなるホーク部５が形成されている。二つの腕の各先端部には内側へ向いたピンからなる支持部４、４′が設けてある。該支持部４、４′の間を結ぶ線は柄部２と直角をなす揺動軸線３をなしている。ホーク部５の内側には受容器８が取付けられている。該受容器８は平坦に開く開口部６と窪んだ内壁部７を有しており、その開口部６の両側に形成されたボス部を両支持部４、４′に嵌め合わされて揺動軸線３の周りに揺動可能に支持されている。受容器８の内側には蓋１１が取付けられている。該蓋１１は開口部６を密に接近して被う平坦な周縁手段９と内側の被い部１０を有しその周縁部分の両側に形成されたボス部を受容器８の内側で両支持部４、４′に嵌め合わされており、受容器８と対向方向に揺動可能に支持されている。受容器８の後側の縁端に連結ピンのボス部２７が設けてあり、該ボス部２７にピン２８を介して
後リンク１２の下端部が前後に回転自在に連結されている。一方、蓋１１の前側の縁端に連結ピンのボス部２９が設けてあり、該ボス部２９にピン３０を介して前リンク１３の下端部が前後に回転自在に連結されている。柄部２にはパイプで造られた操作ロッド１６が上下に滑動可能に嵌め合わされている。該操作ロッド１６の下部には後リンク１２と前リンク１３の各々上端側をピン３１及び３２を介して前後に回転自在に連結保持するリンク保持部１４が設けてある。把持部１の下側にある操作ロッド１６の上端部には後方に引き金状に伸びる操作レバー２１が固定に設けてあり、操作部１５をなしている。操作レバー２１の内側下部には該操作レバー２１にピンの保持手段２２により支持され前後方向にシーソーに押し外し搖動する止めレバー２３が設けてある。該止めレバー２３はその下端に前方に突出する止めピン３３を備えている。一方、柄部２には操作部１５側の外周部に下から順に止め孔３４、３５、３６が設けてある。
そこで、把持部１を持つ手の指で操作レバー２１を操作して操作ロッド１６を符号Ｌから符号Ｔまでの間を上下に移動させることが出来る。図１〜４は柄部２が垂直方向に対して４５度後ろ側に傾いた状態で、操作レバー２１がＭの位置にある状態で描かれている。図示の位置において受容器８と蓋１１は前側に傾いており、排糞中の捕捉に適した向きで開口部６の前側が開かれている。図４は捕捉中の状態が描かれている。立位ないし、いくぶん腰を屈めるようにして犬３７の糞口の下に受容器の開口部６をあてがって器内にその糞を捕捉する。捕捉後は操作レバー２１をＬの位置に移動させる。操作レバー２１がこの位置に保持される時に、受容器８が柄部２と略直角に上向きになり開口部６は符号６′で示される位置になる。一方、蓋１１は受容器８内側で下向きに被さって周縁手段９が符号９′の位置で開口部を塞いでいる。図６はこの蓋がされ柄部２を縦（垂直）にした状態を示している。止めレバー２３は押されて止めピン３３は下の止め孔３４に嵌まっており、操作ロッド１６は動きが止められて受容器８と蓋１１を動かないように保持している。
通常は、この縦にした状態で持ち歩く。受容器８は略水平になり蓋１１は確りと塞がれており、糞がこぼれ出る恐れがない。
糞の排出も通常は、この縦にした状態で行うことが出来る。止めレバー２３を操作して止めピン３３を止め孔３４より外し、操作レバー２１を引いて符号Ｔの位置をまで移動させる。操作レバー２１がこの位置に保持される時に、受容器８と蓋１１は柄部２の後ろ側に傾いて開口部６は符号６″の位置に周縁手段９は符号９″の位置に移動する。この移動の際に、周縁手段９の後側は受容器８の内壁部７に沿って動き、受容器８内の糞を付着するものも一緒に前方へ押出す。そして蓋１１は受容器８の内側に重なって前方に開く。受容器内は奇麗に保たれており、開かれた蓋の内側周りを水で洗浄すればよい。ここでも止めレバー２３を押して止めピン３３を上の止め孔３６に嵌めて受容器８と蓋１１を動かないようにして保管することが出来る。ここで重要なことは受容器８と蓋１１が柄部２に略直角から平行に至る大きな開閉揺動をすることである。
この例では、受容器８と蓋１１は円の中心線を揺動軸線３上にして回転せしめて得られる球形を半分に割った形の半球形に造られており、蓋が被さった全体の形が略球形を成している。従って、開口部６と周縁手段９は円形である。ここに示すような半球形やこれに近い形の器や蓋は掃除がしやすい形である。受納容量に比較した小型化や意匠の点でも全体の形が球形に近い形が望ましい。
さらにこの例においては、周縁手段９は蓋の周縁部にシールリング取付部１９を設け、該シールリング取付部１９にシールリング２０を嵌め込んだものになっている。シールリング２０は受容器の開口部６を含む内壁部７に密接して内部を密閉する。従って、器内に雨水や砂などが侵入し難く、且つ犬糞等の臭いが外部にもれ難い。シールリング２０は公知の適当な材質のゴムやプラスチック等で造られる。受容器８の後側に穿けられた小さな排水孔１７は蓋が被さった際に雨水や砂等を周縁手段の周りから逃がす孔である。又、受容器８の底に設けた突起１８は糞を収納して壁に立て置く際に、受容器の底を地面に着けないためのゴム等で造られた脚である。
さらにこの例においては、柄部２の上部側に該柄部２の壁に一端を固定された板バネに支持され該バネの弾力で操作ロッド１６の内壁側に飛び出す弾性体ノッチ２４が設けてある。一方、操作ロッド１６の対応する部分の壁にはノッチ溝２５が設けてある。弾性体ノッチ２４とノッチ溝２５は操作ロッド手段の移動範囲内で、受容器８と蓋１１の前方側が捕捉角度向きに開いた位置で噛合うようになっている。そして、この噛合いは移動操作の際に一定以上の力をかけることで外せる抵抗保持手段２６になっている。これによって操作レバー２１が受容器８と蓋１１の捕捉位置である符号Ｍ位置にきた時に噛合って移動操作に抵抗を与える。この抵抗力は捕捉作業時の保持力に十分であるが、もし必要なら図１や図３のように止めレバー２３を押して止めピン３３を中位の止め孔３５に嵌めて受容器８と蓋１１を動かないようにしておくことも出来る。これによって捕捉操作が一層やり易くなる。
弾性体ノッチ２４を操作ロッド１６側にノッチ溝２５を柄部２側に設けても同様である。
【実施例２】
【００２０】
図８は本発明の他の実施例を示す。ここでは受容器８ａと蓋１１ａが各々横にした楕円形の中心を揺動軸線３ａ上にして回転せしめて得られる回転形を半分に割った形の半回転形をしており、蓋が被さった全体の形が略ラグビーボールを横にした形をしている。周縁手段９ａは蓋１１ａの周縁より受容器８ａの内壁部１０ａに密に接近するように外側へ曲げ出された外鍔の形をしている。
【実施例３】
【００２１】
図９は本発明のさらに他の実施例を示す。ここでは受容器８ｂと蓋１１ｂが各々縦にした楕円形の中心を揺動軸線３ｂ上にして回転せしめて得られる回転形を半分に割った形の半回転形をしており、蓋が被さった全体の形が厚い円盤投げの円盤を立てた形をしている。蓋の周縁手段９ｂは前図８の例同様外鍔の形をしている。
【実施例４】
【００２２】
図１０は本発明のさらに他の実施例を示す。ここでは受容器８ｃと蓋１１ｃが各々揺動軸線３ｃ上に中心軸を有する角の丸められた円筒形を半分に割った形の半円筒形をしており、蓋が被さった全体の形が略角の丸い円筒形の形をしている。蓋の周縁手段９ｃは前図８の例同様外鍔の形をしている。
【実施例５】
【００２３】
図１１〜１２は本発明のさらに他の実施例を示す。ここでは蓋１１ｄが受容器８ｄの外側で支持部４ｄと４ｄ′に支持されており、前述の例同様に操作ロッド手段１６ｄの移動により揺動軸線３ｄの周りに互いに対向方向に揺動して開閉される。受容器８ｄと蓋１１ｄは円の中心を揺動軸線３ｄ上にして該揺動軸線３ｄを軸に回転せしめて得られる球形を半分に割った形の半球形に造られており、蓋が被さった形が略球形を成している。リンク保持部１４ｄが符号１４ｄ′の位置に保持される時に受容器の開口部６ｄは符号６ｄ′の位置にあり、蓋の周縁手段９ｄが符号９ｄ′の位置で外側に被さるようになっている。図１２はこの蓋が被さった状態が示されている。開口部６ｄは蓋の被い部１０ｄの内壁に接近するように外側に曲げ出された外鍔になっている。そこで、リンク保持部１４ｄが符号１４ｄ″の位置に移動する時に受容器の開口部６ｄの後ろ側は被い部１０ｄの内壁に付着するものを掻き落として奇麗にする働きをする。
【実施例６】
【００２４】
図１３は本発明のさらに他の実施例を示す。ここで、操作ロッド手段１６ｅはリンク保持部１４ｅと操作部１５ｅとを備える細い二本のロッドからなっている。該操作ロッド手段１６ｅは柄部２ｅの両横側に設けられている。そして操作レバー２１ｅは操作部１５ｅの前側に設けられている。操作レバー２１ｅの指当て部分には上側と下側に露出して蝶の羽のように対向に揺動する止めレバー４１と４１′が設けてある。
上側の止めレバー４１はピンの保持手段４０により操作レバー２１ｅ内に保持されており、保持手段４０を中心に柄部２ｅの上下方向に揺動するレバー部と前後方向に揺動する元部側の止め爪４２を有する。下側の止めレバー４１′は操作レバー２１ｅ内に止めレバー４１と対称形に保持手段４０′により保持されている。止めレバー４１と止めレバー４１′の元側には互いに相手側の歯と噛合った歯車の歯のような揺動連結部３８を有する。そこで、止めレバー４１と止めレバー４１′は一方側が揺動する時、他方側は対向する方向に揺動する。両止めレバー４１、４１′のレバー部４２と４２′の間には該両レバー部４２と４２′を互いに開く方向に働く開きバネ３９が挿入してある。そこで、通常は両レバー部４２と４２′が操作レバー２１ｅより大きく露出して両止め爪４３と４３′が各々柄部２ｅの表面に押し付けられたロック状態に保たれている。これによって操作ロッド１６ｅは上下に移動することなく保持される。受容器と蓋の開閉操作すべく操作レバー２１ｅの上側ないし下側に指先を当てた際に、指先は先ずレバー部４２ないしレバー部４２′を押すので両止め爪４３と４３′が浮かされてロック状態が解かれる。操作を終えた後で指先が操作レバー２１ｅより離れることで再びロック状態が維持される。柄部２ｅの止め爪４３、４３′が当たる部分に横の細かい刻み目を設けておけば、操作ロッド１６ｅの移動を止めるのにより効果的である。
【産業上の利用可能性】
【００２５】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々にとって助けになる。
【図面の簡単な説明】
【００２６】
【図１】実施例を示す捕捉運び器具の側面図で、柄部を４５°後ろに傾けて示す図である。
【図２】図１の実施例の受容器周り部分を拡大して示す図である。
【図３】図１の実施例の操作部周り部分を拡大して示す図である。
【図４】図１に示す実施例の糞の捕捉状態を示す側面図である。
【図５】図４における５−５矢視図である。
【図６】図１に示す実施例の蓋が被さった状態を、柄部を縦にして示す側面図である。
【図７】図６における７−７断面を示す正面断面図である。
【図８】他の実施例の正面断面図である。
【図９】他の実施例の正面断面図である。
【図１０】他の実施例の正面断面図である。
【図１１】他の実施例の受容器周り部分を示す側面図である。
【図１２】図１１における１２−１２断面で蓋が被さった状態を示す正面断面図である。
【図１３】他の実施例の操作部周り部分を示す図である。
【符号の説明】
【００２７】
１、１ｅ：把持部
２、〜２ｅ：柄部
３、〜３ｄ ：揺動軸線
４、４′〜４ｄ、４ｄ′：支持部
５、〜５ｄ：ホーク部
６、〜６ｄ：開口部
７、〜７ｄ：内壁部
８、〜８ｄ：受容器
９、〜９ｄ：周縁手段
１０、〜１０ｄ：被い部
１１、〜１１ｄ：蓋
１２、〜１２ｄ：後リンク
１３、〜１３ｄ：前リンク
１４、〜１４ｄ：リンク保持部
１５、１５ｅ：操作部
１６、〜１６ｅ：操作ロッド手段
１９：シールリング取付部
２０：シールリング
２１、２１ｅ：操作レバー
２２：保持手段
２３：止めレバー
２４：弾性体ノッチ
２５：ノッチ溝
２６：抵抗保持手段
３３：止めピン
３４、３５、３６：止め孔
３８：揺動連結部
３９：開きバネ
４０、４０′：保持手段
４１、４１′：止めレバー
４２、４２′：レバー部
４３、４３′：止め爪
【図１】
2005176632.tif 000003
【図２】
2005176632.tif 000004
【図３】
2005176632.tif 000005
【図４】
2005176632.tif 000006
【図５】
2005176632.tif 000007
【図６】
2005176632.tif 000008
【図７】
2005176632.tif 000009
【図８】
2005176632.tif 000010
【図９】
2005176632.tif 000011
【図１０】
2005176632.tif 000012
【図１１】
2005176632.tif 000013
【図１２】
2005176632.tif 000014
【図１３】
2005176632.tif 000015
【手続補正書】
【提出日】平成16年12月6日(2004.12.6)
【手続補正１】
【補正対象書類名】明細書
【補正対象項目名】全文
【補正方法】変更
【補正の内容】
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。この他にも犬の糞を排便中に捕捉するもの等の提案もされている。
【特許文献１】登録実用新案第３０５１１６０号広報
【発明の開示】
【発明が解決しようとする課題】
【０００３】
従来、市販されている犬の糞の捕捉運び器具等は、糞の収納が面倒で扱いずらい上に、これらを持ち運ぶにも見目が悪く敬遠される欠点があった。
本発明の目的は、糞の捕捉と収納そして排出の操作に優れ、しかもその形体、美観にも優れており犬の散歩に携帯するにも抵抗を感ずることない犬糞等の捕捉運び器具を提供するにある。
本発明の他の目的は、操作部の簡単な操作で受容器が捕捉しやすい向きに開き、捕捉した後は蓋をして運びやすいような向きに保たれ、手に持ったまま簡単な操作で受容器を排出しやすい向きに大きく開くことが出来る犬糞等の捕捉運び器具を提供するにある。
本発明のさらに他の目的は、手に持ったまま簡単な操作で受容器内の糞を押出すように排出することも出来る犬糞等の捕捉運び器具を提供するにある。
本発明のさらに他の目的は、器内に雨水などが侵入し難く、且つ犬糞等の臭いが外部にもれない捕捉運び器具を提供するにある。
本発明のさらに他の目的は、水洗いの際に受容器の内部と外周部が掃除しやすくいつも清潔に美麗に保て、コンパクトで収容量の大きな犬糞等の捕捉運び器具を提供するにある。
本発明のさらに他の目的は、糞が蓋の内側ないし受容器の内側に付着して残り難い犬糞等の捕捉運び器具を提供する。
本発明のさらに他の目的は、犬の散歩等の際に持ち歩きやすくしかも捕捉や排出の操作がしやすい把持部と操作部を有する犬糞等の捕捉運び器具を提供するにある。
【課題を解決するための手段】
【０００４】
上記目的を達成するために、本発明の犬糞等の捕捉運び器具においては、柄が把持部より先方へ長く伸びるその先に横へ離隔しながら先方ヘ伸び出し各々その先部に両者の間を結ぶ線が前記柄と直角をなす揺動軸線を形成する支持部を備えるホーク部を有し、前記揺動軸線と略平行に開く開口部と窪んだ内壁部と後側のリンクのボス部を有しその前記開口部の両側を前記両支持部に嵌め合わされ前記揺動軸線の周りに揺動可能に支持された受容器と、前記揺動軸線と略平行且つ前記開口部を密に接近して被う周縁手段と内側の被い部と前側のリンクのボス部を有しその周縁部分の両側を前記両支持部に嵌め合わされ前記受容器と対向方向に揺動可能に支持された蓋と、前記受容器のリンクのボス部にその下端部を前後に回転自在に連結された後リンクと、前記蓋のリンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有するものである。
そこで、前記操作ロッド手段がその操作部により一方位置に移動して保持される時に前記受容器が前記柄と略直角に上向きになりその上部に前記蓋が下向きに被さり前記周縁手段が前記受容器の前記開口部を塞ぎ、前記操作ロッド手段が他方位置に移動して保持される時に前記受容器と前記蓋が前記柄の一方側に傾いて開き、前記操作ロッド手段がその移動の間の位置に保持される時に糞の捕捉に適した向きに開くようになっている。
【０００５】
上記受容器と蓋は、後記する理由により、揺動軸線の周りに半回転形に窪んだ内壁部と平坦に開く開口部を有しその前記開口部の両側をホーク部の内側で両支持部に嵌め合わされて前記揺動軸線の周りに揺動可能に支持された受容器と、前記開口部の内側を密に接近して被う周縁手段と内側の被い部を有しその周縁部分の両側を前記受容器の内側で前記両支持部に嵌め合わされて前記揺動軸線の周りに前記受容器と対向方向に揺動可能に支持された蓋により構成されることがより一層望ましい。
そこで、糞の排出の際に蓋がその塞ぎ位置から開き位置に移動する時に、その周縁手段の後側は受容器の内壁部に沿って動き、受容器内の糞を付着するものも一緒に前方へ押出す。そして蓋は受容器の内側に重なって前方に開く。
【０００６】
特に、受容器が揺動軸線の周りに半球形に窪んだ内壁部と揺動軸線に略平行に開く円形の平坦な開口部を有し、蓋が揺動軸線に略平行且つ前記開口部に密に接近した円形の平坦な周縁手段と揺動軸線の周りに受容器の内壁部に接近して半球形に突出した被い部を有し、操作ロッド手段が一方位置に保持されて蓋が被さった状態の時に受容器と蓋の全体の形が略球形を成す形状はより一層好ましい。
【０００７】
上記周縁手段は、蓋の周縁部にシールリング取付部を設け該シールリング取付部に受容器の開口部を含む内壁部に密接するシールリングを嵌め込んで確りと閉止するものとすることも出来る。
【０００８】
又、上記周縁手段は、蓋の周縁部に受容器の開口部を含む内壁部に密に接近する外鍔とすることも出来る。
【０００９】
さらに、上記受容器と蓋は、揺動軸線と略平行に開く開口部と前記開口部より窪んだ内壁部と後リンクのボス部を備えその開口部の両側の保持部をホーク部の両揺動支持部に嵌め合わされ前記揺動軸線の周りに揺動可能に支持された受容器と、前記揺動軸線と略平行且つ前記受容器の開口部の外側を密に接近して被う周縁手段と前記周縁手段の内側を被う被い部と前リンクのボス部を備えその周縁部分の両側の保持部を前記受容器の外側で前記両揺動支持部に嵌め合わされ前記受容器と対向方向に揺動可能に支持された蓋により構成し、上記と同様にして操作ロッド手段により前記後リンクと前記前リンクを介して前記受容器と蓋の開閉操作を行うようにすることもできる。
【００１０】
上記操作ロッド手段は、その上部に柄に滑動自在に嵌め合わされその一部より引き金状に伸びる操作レバーと該操作レバーの内側下部に保持手段により柄に向かってシーソーのように揺動可能に支持されその下端部に前記柄側に出入りする止めピンを備える止めレバーを備えた操作部を有し、柄側にその止めピンの止め位置部分の外周に止めピンの嵌まる止め孔を備えるようにするとよい。
【００１１】
又、操作ロッド手段は、その上部に柄に滑動自在に嵌め合わされその一部より引き金状に伸びる操作レバーと該操作レバーの内部に各々保持手段により上下に揺動可能に保持され各々前記操作レバーの指当て部分に露出して上下するレバー部とその元部側で柄に向かって前後に揺動する止め爪と元部側で互いに相手側と噛合う歯車の歯のような揺動連結部を有し互いに相手側と対向方向に揺動する上下一対の止めレバーと前記両レバー部間に嵌まる開きバネを備える操作部を設け、操作レバーに指を掛けると解かれ指を離すと前記開きバネの力で両止め爪を柄に押圧するようにした移動の止め手段を設けることもできる。
【００１２】
さらに、柄と操作ロッド手段の間の一方の側に操作ロッド手段の移動範囲の所望の位置でバネの弾力で相手側のノッチ溝に飛び出して噛み合う弾性体ノッチと相手側のノッチ溝からなる抵抗保持手段を設けると糞の捕捉の際に一層扱い易い。
【００１３】
柄の上端に該柄に対して前後方向にＴ字形の把持部を設けると操作と持ち歩きに好都合である。
【００１４】
受容器８の底に器具を支える突起状の脚を設けることが望ましい。
【００１５】
本発明の器具は、地面にある糞を救い取るよりも、主として犬がまさに排糞中のところに立位ないし、いくぶん腰を屈めるようにして犬の糞口の下に受容器の上部の開口部をあてがって器内にその糞を捕捉するものである。
従って、柄の長さは十分な長さが望ましく、目で確かめながら捕捉器の前部の開口部を犬の糞口の下にあてがう。その際に、柄の角度は平坦な地面の垂線に対し１０°から７０°程度の範囲となるであろう。
勿論、本犬糞等の捕捉運び器具は操作部を操作しながら受容器を開いて地面上の糞を挟み取ったり、救い取ることも出来るようになっている。
【発明の効果】
【００１６】
長い柄の先に支持され対向に揺動する受容器と蓋が手元の操作部の簡単な操作で捕捉しやすい向きに開き、捕捉した後は蓋をして運びやすいような向きに保たれ、手に持ったまま受容器を糞の排出がしやすい向きに傾けて開くことが出来る犬糞等の捕捉運び器具が得られる。
【００１７】
受容器を揺動軸線の周りに半回転形の形状にし、蓋を受容器の内側にしてその周縁手段が開口部の内側で内壁部に密に接近するようにすることにより、糞が受容器の外部にこぼれ難く、しかも排出の際には受容器内の糞を周縁手段の後側でかき出すように前方へ押出して開くので糞が内壁部に付着して残らず清潔に保たれる。
【００１８】
さらに、受容器を揺動軸線の周りに半球形の形状とし、蓋をその揺動軸線の周りに半球形に突出した被い部にして操作ロッド手段が一方位置に保持される時に受容器と蓋の全体の形が略球形を成す形状にすることにより、角がなく密実で内外の掃除がし易く、収容容量の大きな犬糞等の捕捉運び器具が得られる。
【００１９】
さらに、蓋の周縁部に受容器の開口部を含む内壁部に密接するシールリングを取付けることにより受容器の開口部が密閉され、雨水等の侵入や臭気の洩れも少なく、ガタのない確りした犬糞等の捕捉運び器具が得られる。
【００２０】
操作ロッド手段の操作部に設けた操作レバーと、該操作レバーの内部に上下に対称形に保持され開きバネの力で操作ロッド手段の移動を止め、操作時の指の力で解除される上下一対の止めレバーや、指先で簡単に掛け外しのできるシーソーに揺動する止めレバーを備えたこと等により、把持部を持ったまま指先で受容器と蓋の開閉並びに止め操作が出来る犬糞等の捕捉運び器具が得られる。
【００２１】
柄の上端にＴ字形の把持部を設けたことで、持ち歩きやすく操作しやすい犬糞等の捕捉運び器具になっている。
【発明を実施するための最良の形態】
【００２２】
把持部より伸びる長い柄の先に両側を支持され対向に揺動運動して開閉する略球形等の形をした受容器と蓋を設け、該受容器と蓋を柄上に滑動可能に設けた操作ロッド手段とリンクを介して連結し、把持部側に設けた操作ロッド手段の操作部により蓋が被さる時に受容器が柄と略直角に上向きになり、排出の時に柄と略平行に重なって開き、その開閉の略中間の位置で糞の捕捉が出来るようになっている。
【実施例１】
【００２３】
図１〜７において、上端の前後方向の把持部１からＴ字形に伸びる長い柄２の先に、横へ離隔しながら先方へ伸びる二つの腕からなるホーク部５が形成されている。二つの腕の各先端部には内側へ向いたピンからなる支持部４、４′が設けてある。該両支持部４、４′の間を結ぶ線は柄２と直角をなす揺動軸線３をなしている。ホーク部５の内側には受容器８が取付けられている。該受容器８は平坦に開く開口部６と窪んだ内壁部７を有しており、その開口部６の両側に形成されたボス部を両支持部４、４′に嵌め合わされて揺動軸線３の周りに揺動可能に支持されている。受容器８の内側には蓋１１が取付けられている。該蓋１１は開口部６を密に接近して被う平坦な周縁手段９と内側の被い部１０を有しその周縁部分の両側に形成されたボス部を受容器８の内側で両支持部４、４′に嵌め合わされており、受容器８と対向方向に揺動可能に支持されている。受容器８の後側の縁端に連結ピンのボス部２７が設けてあり、該ボス部２７にピン２８を介して
後リンク１２の下端部が前後に回転自在に連結されている。一方、蓋１１の前側の縁端に連結ピンのボス部２９が設けてあり、該ボス部２９にピン３０を介して前リンク１３の下端部が前後に回転自在に連結されている。柄２にはパイプで造られた操作ロッド手段１６が上下に滑動可能に嵌め合わされている。該操作ロッド手段１６の下部には後リンク１２と前リンク１３の各々上端側をピン３１及び３２を介して前後に回転自在に連結保持するリンク保持部１４が設けてある。一方、操作ロッド手段１６の上端部には後方に引き金状に伸びる操作レバー２１が固定に設けてあり、操作部１５をなしている。操作レバー２１の内側下部には該操作レバー２１にピンの保持手段２２により支持され前後方向にシーソーに押し外し搖動する止めレバー２３が設けてある。該止めレバー２３はその下端に前方に突出する止めピン３３を備えている。一方、柄２には操作部１５側の外周部に下から順に止め孔３４、３５、３６が設けてある。
そこで、把持部１を持つ手の指で操作レバー２１を操作して操作ロッド手段１６を符号Ｌから符号Ｔまでの間を上下に移動させることが出来る。図１〜４は柄２が垂直方向に対して４５度後ろ側に傾いた状態で、操作レバー２１がＭの位置にある状態で描かれている。図示の位置において受容器８と蓋１１は前側に傾いており、排糞中の捕捉に適した向きで開口部６の前側が開かれている。図２は捕捉中の状態が描かれている。立位ないし、いくぶん腰を屈めるようにして犬３７の糞口の下に受容器の開口部６をあてがって器内にその糞を捕捉する。捕捉後は操作レバー２１をＬの位置に移動させる。操作レバー２１がこの位置に保持される時に、受容器８が柄２と略直角に上向きになり開口部６は符号６′で示される位置になる。一方、蓋１１は受容器８内側で下向きに被さって周縁手段９が符号９′の位置で開口部を塞いでいる。図５はこの蓋がされ柄２を縦（垂直）にした状態を示している。止めレバー２３は押されて止めピン３３は下の止め孔３４に嵌まっており、操作ロッド手段１６は動きが止められて受容器８と蓋１１を動かないように保持している。
通常は、この縦にした状態で持ち歩く。受容器８は略水平になり蓋１１は確りと塞がれており、糞がこぼれ出る恐れがない。
糞の排出も通常は、この縦にした状態で行うことが出来る。止めレバー２３を操作して止めピン３３を止め孔３４より外し、操作レバー２１を引いて図６のように符号Ｔの位置まで移動させる。操作レバー２１がこの位置に保持される時に、受容器８と蓋１１は柄２の後ろ側に傾いて開口部６は符号６″の位置に周縁手段９は符号９″の位置に移動する。この移動の際に、周縁手段９の後側は受容器の内壁部７に沿って動き、受容器８内の糞を内壁部７に付着するものも一緒に前方へ押出す。そして蓋１１は受容器８の内側に重なって前方に開く。受容器内は奇麗に保たれており、開かれた蓋の内側周りを水で洗浄すればよい。ここでも止めレバー２３を押して止めピン３３を上の止め孔３６に嵌めて受容器８と蓋１１を動かないようにして保管することが出来る。ここで重要なことは受容器８と蓋１１が柄２に略直角から平行に至る大きな開閉揺動をすることである。
この例では、受容器８と蓋１１は円の中心線を揺動軸線３上にして回転せしめて得られる球形を半分に割った形の半球形に造られており、蓋が被さった全体の形が略球形を成している。従って、開口部６と周縁手段９は円形である。ここに示すような半球形やこれに近い形の器や蓋は掃除がしやすい形である。受納容量に比較した小型化や意匠の点でも全体の形が球形に近い形が望ましい。
さらにこの例においては、周縁手段９は蓋の周縁部にシールリング取付部１９を設け、該シールリング取付部１９にシールリング２０を嵌め込んだものになっている。シールリング２０は受容器の開口部６を含む内壁部７に密接して内部を密閉する。従って、器内に雨水や砂などが侵入し難く、且つ犬糞等の臭いが外部にもれ難い。シールリング２０は公知の適当な材質のゴムやプラスチック等で造られる。受容器８の後側に穿けられた小さな排水孔１７は蓋が被さった際に雨水や砂等を周縁手段９の周りから逃がす孔である。又、受容器８の底に設けた突起は糞を収納して壁に立て置く際に、受容器の底を地面に着けないためのゴム等で造られた脚１８である。
さらにこの例においては、柄２の上部側に該柄２の壁に一端を固定された板バネに支持され該バネの弾力で操作ロッド１６の内壁側に飛び出す弾性体ノッチ２４が設けてある。一方、操作ロッド１６の対応する部分の壁にはノッチ溝２５が設けてある。弾性体ノッチ２４とノッチ溝２５は操作ロッド手段の移動範囲内で、受容器８と蓋１１の前方側が捕捉角度向きに開いた位置で噛合うようになっている。そして、この噛合いは移動操作の際に一定以上の力をかけることで外せる抵抗保持手段２６になっている。これによって操作レバー２１が受容器８と蓋１１の捕捉位置である符号Ｍ位置にきた時に噛合って移動操作に抵抗を与える。この抵抗力は捕捉作業時の保持力に十分であるが、もし必要なら図１や図３のように止めレバー２３を押して止めピン３３を中位の止め孔３５に嵌めて受容器８と蓋１１を動かないようにしておくことも出来る。これによって捕捉操作が一層やり易くなる。
弾性体ノッチ２４を操作ロッド１６側にノッチ溝２５を柄２側に設けても同様である。
【実施例２】
【００２４】
図８は本発明の他の実施例を示す。ここでは受容器８ａと蓋１１ａが各々横にした楕円形の中心を揺動軸線３ａ上にして回転せしめて得られる回転形を半分に割った形の半回転形をしており、蓋が被さった全体の形が略ラグビーボールを横にした形をしている。周縁手段９ａは蓋１１ａの周縁より受容器８ａの内壁部７ａに密に接近するように外側へ曲げ出された外鍔２０aの形をしている。
本明細書で言う回転形とは、ある平面図形を一つの回転軸線上で回転して得られる立体図形であって、回転軸に直角方向から見た形が円形を呈する。即ち、球形は円形の平面図形をその中心線上で回転して得られる回転形である。半回転形とは回転形を回転軸線上で半分に切断した形を言う。
【実施例３】
【００２５】
図９は本発明のさらに他の実施例を示す。ここでは受容器８ｂと蓋１１ｂが各々縦にした楕円形の中心を揺動軸線３ｂ上にして回転せしめて得られる回転形を半分に割った形の半回転形をしており、蓋が被さった全体の形が厚い円盤投げの円盤を立てた形をしている。蓋の周縁手段９ｂは前図８の例同様外鍔２０bの形をしている。
【実施例４】
【００２６】
図１０は本発明のさらに他の実施例を示す。ここでは受容器８ｃと蓋１１ｃが各々揺動軸線３ｃ上に中心軸を有する角の丸められた円筒形を半分に割った形の半円筒形をしており、蓋が被さった全体の形が略角の丸い円筒形の形をしている。蓋の周縁手段９ｃは前図８の例同様外鍔２０cの形をしている。
【実施例５】
【００２７】
図１１〜１２は本発明のさらに他の実施例を示す。ここでは蓋１１ｄが受容器８ｄの外側で支持部４ｄと４ｄ′に支持されており、前述の例同様に操作ロッド手段１６ｄの移動により揺動軸線３ｄの周りに互いに対向方向に揺動して開閉される。受容器８ｄと蓋１１ｄは円の中心を揺動軸線３ｄ上にして該揺動軸線３ｄを軸に回転せしめて得られる球形を半分に割った形の半球形に造られており、蓋が被さった形が略球形を成している。リンク保持部１４ｄが符号１４ｄ′の位置に保持される時に受容器の開口部６ｄは符号６ｄ′の位置にあり、蓋の周縁手段９ｄが符号９ｄ′の位置で外側に被さるようになっている。図１２はこの蓋が被さった状態が示されている。開口部６ｄは蓋の被い部１０ｄの内壁に接近するように外側に曲げ出された外鍔２０ｄになっている。そこで、リンク保持部１４ｄが符号１４ｄ″の位置に移動する時に受容器の開口部６ｄの後ろ側は被い部１０ｄの内壁に付着するものを掻き落として奇麗にする働きをする。
【実施例６】
【００２８】
図１３は本発明のさらに他の実施例を示す。ここで、操作ロッド手段１６ｅは柄２ｅ上で移動するリンク保持部１４ｅと操作部１５ｅとを備える細い二本のロッドからなっている。該操作ロッド手段１６ｅは柄部２ｅの両横側に設けられている。そして操作レバー２１ｅは操作部１５ｅの前側に設けられている。操作レバー２１ｅの指当て部分には上側と下側に露出して蝶の羽のように対向に揺動する止めレバー４１と４１′が設けてある。
上側の止めレバー４１はピンの保持手段４０により操作レバー２１ｅ内に保持されており、保持手段４０を中心に柄部２ｅの上下方向に揺動するレバー部４２と前後方向に揺動する元部側の止め爪４３を有する。下側の止めレバー４１′は操作レバー２１ｅ内に止めレバー４１と対称形に保持手段４０′により保持されている。止めレバー４１と止めレバー４１′の元側には互いに相手側の歯と噛合った歯車の歯のような揺動連結部３８を有する。そこで、止めレバー４１と止めレバー４１′は一方側が揺動する時、他方側は対向する方向に揺動する。両止めレバー４１、４１′のレバー部４２と４２′の間には該両レバー部４２と４２′を互いに開く方向に働く開きバネ３９が挿入してある。そこで、通常は両レバー部４２と４２′が操作レバー２１ｅより大きく露出して両止め爪４３と４３′が各々柄部２ｅの表面に押し付けられた止め状態に保たれている。これによって操作ロッド手段１６ｅは上下に移動することなく保持される。受容器と蓋の開閉操作をすべく操作レバー２１ｅの上側ないし下側に指先を当てた際に、指先は先ずレバー部４２ないしレバー部４２′を押すので両止め爪４３と４３′が浮かされて止め状態が解かれる。操作を終えた後で指先が操作レバー２１ｅより離れることで再び止め状態が維持される。柄部２ｅの止め爪４３、４３′が当たる部分に横の細かい刻み目を設けておけば、操作ロッド手段１６ｅの移動を止めるのにより効果的である。
【産業上の利用可能性】
【００２９】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々にとって助けになる。
【図面の簡単な説明】
【００３０】
【図１】実施例を示す捕捉運び器具の側面図で、柄部を４５°後ろに傾けて示す図である。
【図２】図１に示す実施例の糞の捕捉状態を示す側面図である。
【図３】図１に示す実施例の操作部周り部分を拡大して示す部分断面図で受容器の開き位置と閉止位置での操作レバーの位置を仮想線で示す図である。
【図４】図１に示す実施例の受容器周り部分を拡大して示す部分側面図で受容器の開き位置と閉止位置での各部の状態を仮想線で示す図である。
【図５】図１に示す実施例の蓋が被さった状態を、柄部を縦にして示す側面図である。
【図６】図１に示す実施例の蓋が開かれた状態を、柄部を縦にして示す側面図である。
【図７】図５における７−７断面を示す正面断面図である。
【図８】他の実施例の正面断面図である。
【図９】他の実施例の正面断面図である。
【図１０】他の実施例の正面断面図である。
【図１１】他の実施例の受容器周り部分を拡大して示す部分側面図で受容器の開き位置と閉止位置での各部の状態を仮想線で示す図である。
【図１２】図１１における１２−１２断面で蓋が被さった状態を示す正面断面図である。
【図１３】他の実施例の操作部周り部分を示す図である。
【符号の説明】
【００３１】
１、１ｅ：把持部
２、〜２ｅ：柄
３、〜３ｄ ：揺動軸線
４、４′〜４ｄ、４ｄ′：支持部
５、〜５ｄ：ホーク部
６、〜６ｄ：開口部
７、〜７ｄ：内壁部
８、〜８ｄ：受容器
９、〜９ｄ：周縁手段
１０、〜１０ｄ：被い部
１１、〜１１ｄ：蓋
１２、〜１２ｄ：後リンク
１３、〜１３ｄ：前リンク
１４、〜１４ｄ：リンク保持部
１５、１５ｅ：操作部
１６、〜１６ｅ：操作ロッド手段
１７：排水孔
１８：脚
１９：シールリング取付部
２０：シールリング
２０a、〜２０ｄ：外鍔
２１、２１ｅ：操作レバー
２２：保持手段
２３：止めレバー
２４：弾性体ノッチ
２５：ノッチ溝
２６：抵抗保持手段
３３：止めピン
３４、３５、３６：止め孔
３８：揺動連結部
３９：開きバネ
４０、４０′：保持手段
４１、４１′：止めレバー
４２、４２′：レバー部
４３、４３′：止め爪
【手続補正書】
【提出日】平成16年12月6日(2004.12.6)
【手続補正１】
【補正対象書類名】図面
【補正対象項目名】全図
【補正方法】変更
【補正の内容】
【図１】
2005176632.tif 000016
【図２】
2005176632.tif 000017
【図３】
2005176632.tif 000018
【図４】
2005176632.tif 000019
【図５】
2005176632.tif 000020
【図６】
2005176632.tif 000021
【図７】
2005176632.tif 000022
【図８】
2005176632.tif 000023
【図９】
2005176632.tif 000024
【図１０】
2005176632.tif 000025
【図１１】
2005176632.tif 000026
【図１２】
2005176632.tif 000027
【図１３】
2005176632.tif 000028
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
柄が把持部より先方へ長く伸びるその先に横へ離隔しながら先方ヘ伸び出し各々その先部に両者の間を結ぶ線が前記柄と直角をなす揺動軸線を形成する支持部を備えるホーク部を有し、前記揺動軸線と略平行に開く開口部と窪んだ内壁部と後側のリンクのボス部を有しその前記開口部の両側を前記両支持部に嵌め合わされ前記揺動軸線の周りに揺動可能に支持された受容器と、前記揺動軸線と略平行且つ前記開口部を密に接近して被う周縁手段と内側の被い部と前側のリンクのボス部を有しその周縁部分の両側を前記両支持部に嵌め合わされ前記受容器と対向方向に揺動可能に支持された蓋と、前記受容器の前記リンクのボス部にその下端部を前後に回転自在に連結された後リンクと、前記蓋の前記リンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有することを特徴とする犬糞等の捕捉運び器具。
【請求項２】
揺動軸線と略平行に開く開口部と前記揺動軸線の周りに半回転形に窪んだ内壁部を有しその前記開口部の両側をホーク部の内側で両支持部に嵌め合わされて前記揺動軸線の周りに揺動可能に支持された受容器と、前記開口部の内側を密に接近して被う周縁手段と内側の被い部を有しその周縁部分の両側を前記受容器の内側で前記両支持部に嵌め合わされて前記揺動軸線の周りに前記受容器と対向方向に揺動可能に支持された蓋を備えることを特徴とする請求項１記載の犬糞等の捕捉運び器具。
【請求項３】
揺動軸線と略平行に開く円形の平坦な開口部と前記揺動軸線の周りに半球形に窪んだ内壁部を有しその前記開口部の両側をホーク部の内側で両支持部に嵌め合わされて前記揺動軸線の周りに揺動可能に支持された受容器と、揺動軸線に略平行且つ前記開口部に密に接近した円形の平坦な周縁手段と揺動軸線の周りに受容器の内壁部に接近して半球形に突出した被い部を有しその周縁部分の両側を前記受容器の内側で前記両支持部に嵌め合わされて前記揺動軸線の周りに前記受容器と対向方向に揺動可能に支持された蓋を備えることを特徴とする請求項１記載の犬糞等の捕捉運び器具。
【請求項４】
蓋がその周縁部にシールリング取付部を備え該シールリング取付部に受容器の開口部を含む内壁部に密接するシールリングの周縁手段を備えることを特徴とする請求項１又は２又は３記載の犬糞等の捕捉運び器具。
【請求項５】
蓋がその周縁部に受容器の開口部を含む内壁部に密に接近する外鍔の周縁手段を備えることを特徴とする請求項１又は２又は３記載の犬糞等の捕捉運び器具。
【請求項６】
揺動軸線と略平行に開く開口部と前記開口部より窪んだ内壁部を備えその前記開口部の両側の保持部をホーク部の両支持部に嵌め合わされ前記揺動軸線の周りに揺動可能に支持された受容器と、前記揺動軸線と略平行且つ前記受容器の前記開口部の外側を密に接近して被う周縁手段と前記周縁手段の内側を被う被い部を備えその周縁部分の両側の保持部を前記受容器の外側で前記両支持部に嵌め合わされ前記受容器と対向方向に揺動可能に支持された蓋を備えることを特徴とする請求項１記載の犬糞等の捕捉運び器具。
【請求項７】
受容器がその開口部に蓋の被い部の内壁部に密に接近する外鍔を備えることを特徴とする請求項１又は６記載の犬糞等の捕捉運び器具。
【請求項８】
操作ロッド手段が柄に滑動自在に嵌め合わされその上部に引き金状に伸びる操作レバーと該操作レバーの内側下部に保持手段により柄に向かってシーソーのように揺動可能に支持されその下端部に前記柄側に出入りする止めピンを備える止めレバーからなる操作部を備え、柄側にその止めピンの止め位置部分の外周に止めピンの嵌まる止め孔を備えることを特徴とする請求項１又は２又は３又は６記載の犬糞等の捕捉運び器具。
【請求項９】
操作ロッド手段が柄に滑動自在に嵌め合わされその上部に引き金状に伸びる操作レバーと該操作レバーの内部に各々保持手段により上下に揺動可能に保持され各々前記操作レバーの指当て部分に露出して上下するレバー部とその元部側で柄に向かって前後に揺動する止め爪と元部側で互いに相手側と噛合う歯の揺動連結部を有し互いに相手側と対向方向に揺動する上下一対の止めレバーと、前記両レバー部間に嵌まる開きバネを備える操作部を有することを特徴とする請求項１又は２又は３又は６記載の犬糞等の捕捉運び器具。
【請求項１０】
柄と操作ロッド手段の間の一方の側に操作ロッド手段の移動範囲の所望の位置でバネの弾力で相手側のノッチ溝に飛び出して噛み合う弾性体ノッチと相手側のノッチ溝からなる抵抗保持手段を備えることを特徴とする請求項１又は２又は３又は６記載の犬糞等の捕捉運び器具。
【請求項１１】
柄の上端に該柄に対して前後方向にＴ字形の把持部を備えることを特徴とする請求項１又は２又は３又は６記載の犬糞等の捕捉運び器具。
【請求項１２】
受容器の底に突起状の脚を備えることを特徴とする請求項１又は２又は３又は６記載の犬糞等の捕捉運び器具。
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
柄が把持部より先方へ長く伸びるその先に横へ離隔しながら先方ヘ伸び出し各々その先部に両者の間を結ぶ線が前記柄と直角をなす揺動軸線を形成する支持部を備えるホーク部を有し、前記揺動軸線と略平行に開く開口部と窪んだ内壁部とその後側に設けたリンクのボス部を有しその前記開口部の両側を前記両支持部に嵌め合わされ前記揺動軸線の周りに揺動可能に支持された受容器と、前記揺動軸線と略平行且つ前記開口部を密に接近して被う周縁手段と内側の被い部とその前側に設けたリンクのボス部を有しその周縁部分の両側を前記両支持部に嵌め合わされ前記受容器と対向方向に揺動可能に支持された蓋と、前記受容器の前記リンクのボス部にその下端部を前後に回転自在に連結された後リンクと、前記蓋の前記リンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有することを特徴とする犬糞等の捕捉運び器具。
【請求項２】
揺動軸線と略平行に開く開口部と前記揺動軸線の周りに半回転形に窪んだ内壁部を有しその前記開口部の両側をホーク部の内側で両支持部に嵌め合わされて前記揺動軸線の周りに揺動可能に支持された受容器と、前記開口部の内側を密に接近して被う周縁手段と内側の被い部を有しその周縁部分の両側を前記受容器の内側で前記両支持部に嵌め合わされて前記揺動軸線の周りに前記受容器と対向方向に揺動可能に支持された蓋を備えることを特徴とする請求項１記載の犬糞等の捕捉運び器具。
【請求項３】
揺動軸線と略平行に開く円形の平坦な開口部と前記揺動軸線の周りに半球形に窪んだ内壁部を有しその前記開口部の両側をホーク部の内側で両支持部に嵌め合わされて前記揺動軸線の周りに揺動可能に支持された受容器と、揺動軸線に略平行且つ前記開口部に密に接近した円形の平坦な周縁手段と揺動軸線の周りに受容器の内壁部に接近して半球形に突出した被い部を有しその周縁部分の両側を前記受容器の内側で前記両支持部に嵌め合わされて前記揺動軸線の周りに前記受容器と対向方向に揺動可能に支持された蓋を備えることを特徴とする請求項１記載の犬糞等の捕捉運び器具。
【請求項４】
蓋がその周縁部にシールリング取付部を備え該シールリング取付部に受容器の開口部を含む内壁部に密接するシールリングの周縁手段を備えることを特徴とする請求項１又は２又は３記載の犬糞等の捕捉運び器具。
【請求項５】
蓋がその周縁部に受容器の開口部を含む内壁部に密に接近する外鍔の周縁手段を備えることを特徴とする請求項１又は２又は３記載の犬糞等の捕捉運び器具。
【請求項６】
揺動軸線と略平行に開く開口部と前記開口部より窪んだ内壁部を備えその前記開口部の両側の保持部をホーク部の両支持部に嵌め合わされ前記揺動軸線の周りに揺動可能に支持された受容器と、前記揺動軸線と略平行且つ前記受容器の前記開口部の外側を密に接近して被う周縁手段と前記周縁手段の内側を被う被い部を備えその周縁部分の両側の保持部を前記受容器の外側で前記両支持部に嵌め合わされ前記受容器と対向方向に揺動可能に支持された蓋を備えることを特徴とする請求項１記載の犬糞等の捕捉運び器具。
【請求項７】
受容器がその開口部に蓋の被い部の内壁部に密に接近する外鍔を備えることを特徴とする請求項１又は６記載の犬糞等の捕捉運び器具。
【請求項８】
操作ロッド手段が柄に滑動自在に嵌め合わされその上部に引き金状に伸びる操作レバーと該操作レバーの内側下部に保持手段により柄に向かってシーソーのように揺動可能に支持されその下端部に前記柄側に出入りする止めピンを備える止めレバーからなる操作部を備え、柄側にその止めピンの止め位置部分の外周に止めピンの嵌まる止め孔を備えることを特徴とする請求項１又は２又は３又は６記載の犬糞等の捕捉運び器具。
【請求項９】
操作ロッド手段が柄に滑動自在に嵌め合わされその上部に引き金状に伸びる操作レバーと該操作レバーの内部に各々保持手段により上下に揺動可能に保持され各々前記操作レバーの指当て部分に露出して上下するレバー部とその元部側で柄に向かって前後に揺動する止め爪と元部側で互いに相手側と噛合う歯の揺動連結部を有し互いに相手側と対向方向に揺動する上下一対の止めレバーと、前記両レバー部間に嵌まる開きバネを備える操作部を有することを特徴とする請求項１又は２又は３又は６記載の犬糞等の捕捉運び器具。
【請求項１０】
柄と操作ロッド手段の間の一方の側に操作ロッド手段の移動範囲の所望の位置でバネの弾力で相手側のノッチ溝に飛び出して噛み合う弾性体ノッチと相手側のノッチ溝からなる抵抗保持手段を備えることを特徴とする請求項１又は２又は３又は６記載の犬糞等の捕捉運び器具。
【請求項１１】
柄の上端に該柄に対して前後方向にＴ字形の把持部を備えることを特徴とする請求項１又は２又は３又は６記載の犬糞等の捕捉運び器具。
【請求項１２】
受容器の底に突起状の脚を備えることを特徴とする請求項１又は２又は３又は６記載の犬糞等の捕捉運び器具。
【請求項１３】
蓋が被さった際にその周縁手段の位置する受容器の壁の部位に排水孔を備えることを特徴とする請求項１又は２又は３記載の犬糞等の捕捉運び器具。
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
柄が把持部より先方へ長く伸びるその先に横へ互いに離隔しながら先方ヘ伸び出し各々その先部に両者の間を結ぶ線が前記柄に対し横方向の揺動軸線を形成する支持部を備えるホーク部を有し、窪んだ内壁部と平坦な開口部を有し前記ホーク部の内側で前記開口部が前記揺動軸線と略平行になるように前記開口部の両側を前記両支持部に揺動可能に支持されその後側にリンクのボス部を有する受容器と、前記ホーク部の内側でその周縁部分の両側を前記受容器の内外の一方の側で前記両支持部に揺動可能に支持され前記受容器の前記開口部を前記揺動軸線と略平行に密に接近して被う周縁手段とその内側の被い部とその前側のリンクのボス部を有し前記受容器と対向方向に揺動する蓋と、前記受容器の前記リンクのボス部にその下端部を前後に回転自在に連結された後リンクと、前記蓋の前記リンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有することを特徴とする犬糞等の捕捉運び器具。
【請求項２】
柄が把持部より先方へ長く伸びるその先に横へ互いに離隔しながら先方ヘ伸び出し各々その先部に両者の間を結ぶ線が前記柄に対し横方向の揺動軸線を形成する支持部を備えるホーク部を有し、窪んだ内壁部と平坦な開口部を有し前記ホーク部の内側で前記開口部が前記揺動軸線と略平行になるように前記開口部の両側を前記両支持部に揺動可能に支持されその後側にリンクのボス部を有する受容器と、その周縁部分の両側を前記受容器の内側で前記両支持部に揺動可能に支持され前記受容器の前記開口部の内側を前記揺動軸線と略平行に密に接近して被う周縁手段とその内側の被い部とその前側のリンクのボス部を有し前記受容器と対向方向に揺動する蓋と、前記受容器の前記リンクのボス部にその下端部を前後に回転自在に連結された後リンクと、前記蓋の前記リンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有することを特徴とする犬糞等の捕捉運び器具。
【請求項３】
揺動軸線の周りに半回転形に窪んだ内壁部と前記揺動軸線と略平行に開く開口部を有しその前記開口部の両側をホーク部の内側で両支持部に揺動可能に支持された受容器と、その周縁部分の両側を前記受容器の内側で前記両支持部に揺動可能に支持され前記受容器の前記開口部の内側を密に接近して被う前記揺動軸線と略平行な周縁手段とその内側の被い部を有する蓋を備えることを特徴とする請求項２記載の犬糞等の捕捉運び器具。
【請求項４】
揺動軸線の周りに半球形に窪んだ内壁部と前記揺動軸線と略平行に開く円形の平坦な開口部を有しその前記開口部の両側をホーク部の内側で両支持部に揺動可能に支持された受容器と、その周縁部分の両側を前記受容器の内側で前記両支持部に揺動可能に支持され前記受容器の前記開口部の内側を密に接近して被う前記揺動軸線と略平行な周縁手段と揺動軸線の周りに前記受容器の前記内壁部に接近して半球形に突出した内側の被い部を有する蓋を備えることを特徴とする請求項２記載の犬糞等の捕捉運び器具。
【請求項５】
蓋がその周縁部にシールリング取付部を備え該シールリング取付部に受容器の開口部を含む内壁部に密接するシールリングの周縁手段を備えることを特徴とする請求項２又は３又は４記載の犬糞等の捕捉運び器具。
【請求項６】
蓋がその周縁部に受容器の開口部を含む内壁部に密に接近する外鍔の周縁手段を備えることを特徴とする請求項２又は３又は４記載の犬糞等の捕捉運び器具。
【請求項７】
柄が把持部より先方へ長く伸びるその先に横へ互いに離隔しながら先方ヘ伸び出し各々その先部に両者の間を結ぶ線が前記柄に対し横方向の揺動軸線を形成する支持部を備えるホーク部を有し、窪んだ内壁部と平坦な開口部を有し前記ホーク部の内側で前記開口部が前記揺動軸線と略平行になるように前記開口部の両側を前記両支持部に揺動可能に支持されその後側にリンクのボス部を有する受容器と、その周縁部分の両側を前記受容器の外側で前記両支持部に揺動可能に支持され前記受容器の前記開口部の外側を前記揺動軸線と略平行に密に接近して被う周縁手段とその内側の被い部とその前側のリンクのボス部を有し前記受容器と対向方向に揺動する蓋と、前記受容器の前記リンクのボス部にその下端部を前後に回転自在に連結された後リンクと、前記蓋の前記リンクのボス部にその下端部を前後に回転自在に連結された前リンクと、前記柄上に滑動可能に保持されその下部に前記後リンクと前記前リンクの各々上端側を前後に回転自在に連結保持するリンク保持部とその上部の操作部を備える操作ロッド手段を有することを特徴とする犬糞等の捕捉運び器具。
【請求項８】
揺動軸線の周りに半回転形に窪んだ内壁部と前記揺動軸線と略平行に開く平坦な開口部を有しその前記開口部の両側をホーク部の内側で両支持部に揺動可能に支持された受容器と、その周縁部分の両側を前記受容器の外側で前記両支持部に揺動可能に支持され前記受容器の前記開口部の外側を密に接近して被う前記揺動軸線と略平行な周縁手段とその内側の前記揺動軸線の周りに半回転形に突出した被い部を有する蓋を備えることを特徴とする請求項７記載の犬糞等の捕捉運び器具。
【請求項９】
受容器がその開口部に蓋の周縁手段の内壁部に密に接近する外鍔を備えることを特徴とする請求項７又は８記載の犬糞等の捕捉運び器具。
【請求項１０】
操作ロッド手段が柄に滑動自在に嵌め合わされその上部に引き金状に伸びる操作レバーと該操作レバーの内側下部に保持手段により前記柄に向かってシーソーのように揺動可能に支持されその下端部に前記柄側に出入りする止めピンを備える止めレバーからなる操作部を備え、前記柄側に前記止めピンの止め位置部分の外周に前記止めピンの嵌まる止め孔手段を備えることを特徴とする請求項１又は２又は３又は４又は５又は７又は８記載の犬糞等の捕捉運び器具。
【請求項１１】
操作ロッド手段が柄に滑動自在に嵌め合わされその上部に引き金状に伸びる操作レバーと該操作レバーの内部に各々保持手段により上下に揺動可能に保持され各々前記操作レバーの指当て部分に露出して上下するレバー部とその元部側で前記柄に向かって前後に揺動する止め爪と元部側で互いに相手側と噛合う歯の揺動連結部を有し互いに相手側と対向方向に揺動する上下一対の止めレバーと、前記両レバー部間に嵌まる開きバネを備える操作部を有することを特徴とする請求項１又は２又は３又は４又は５又は７又は８記載の犬糞等の捕捉運び器具。
【請求項１２】
柄と操作ロッド手段の間の一方の側に前記操作ロッド手段の移動範囲の所望の位置でバネの弾力で相手側のノッチ溝手段に飛び出して噛み合う弾性体ノッチと相手側のノッチ溝手段からなる抵抗保持手段を備えることを特徴とする請求項１又は２又は３又は４又は５又は７又は８記載の犬糞等の捕捉運び器具。
【請求項１３】
柄の上端に該柄に対して前後方向にＴ字形の把持部を備えることを特徴とする請求項１又は２又は３又は４又は５又は７又は８記載の犬糞等の捕捉運び器具。
【請求項１４】
受容器の底に突起状の脚を備えることを特徴とする請求項１又は２又は３又は４又は５又は７又は８記載の犬糞等の捕捉運び器具。
【請求項１５】
蓋が被さった際にその周縁手段の位置する受容器の壁の一部に排水孔を備えることを特徴とする請求項２又は３又は４記載の犬糞等の捕捉運び器具。